(57)【特許請求の範囲】
【請求項１】
容器本体と、前記容器本体の上部に着脱可能に螺合し、下縁から所定寸法上方に環状の破断部が設けられた蓋体と、
前記蓋体における破断部より下部及び容器本体を覆い、これらの外周面の全面に接着固定されるとともに商品名や成分表示等の印刷を施した筒状のカバーフィルムと、を備えたことを特徴とするカバーフィルム付き容器。
【発明の詳細な説明】
【０００１】
【発明の属する技術分野】
本発明は、外周面が筒状のカバーフィルムで覆われた容器に関するものである。
【０００２】
【従来の技術】
容器には、容器本体に蓋体が着脱可能に螺合したものがある。この種の容器では、容器本体の外周面に、商品名等を印刷した筒状のカバーフィルムを被せる場合がある。
【０００３】
【発明が解決しようとする課題】
しかしながら、従来の前記容器では、筒状のカバーフィルムを容器本体に被せただけであるので、カバーフィルムが容器本体から不用意に外れることがあり問題であった。
【０００４】
又、カバーフィルムを容器本体だけに被せているので、陳列時等に蓋体を勝手に開けられて試用される虞れもあった。
本発明はこのような従来の技術の問題点に鑑みてなされたものであり、蓋体を勝手に開けないように制限し、開封済みか未開封かが瞬時に判断できるカバーフィルム付き容器を提供することを目的とする。
【０００５】
【課題を解決するための手段】
本発明は前記課題を解決するために、以下の手段を採用した。
すなわち、本発明は、容器本体と、前記容器本体の上部に着脱可能に螺合し、下縁から所定寸法上方に環状の破断部が設けられた蓋体と、前記蓋体における破断部より下部及び容器本体を覆い、これらの外周面の全面に接着固定されるとともに商品名や成分表示等の印刷を施した筒状のカバーフィルムと、を備えたことを特徴とするカバーフィルム付き容器である。
【０００６】
破断部は、例えば、細長い直線状のスリットを所定間隔で連続的に設けて破断線の如く形成してもよい。ただし、破断部の形態はこれに限るものではなく、要するに、破断部を境にして蓋体の上部と下部とを相対的に捻ることによって破断可能に構成されていれば、いかなる形態であっても構わない。
【０００７】
〈本発明の原材料〉
カバーフィルムは樹脂製のフィルムを用いる。具体例としては、東邦樹脂工業株式会社製のポロソ（商品名）を挙げることができるが、これに限るものではない。
【０００８】
【発明の実施の形態】
以下、本発明の実施の形態を図１から図５の図面に基いて説明する。
【０００９】
〔第１の実施の形態〕
図１は本発明の第１の実施の形態におけるカバーフィルム付き容器（以下、容器という）１の要部断面図であり、図２は同容器の斜視図である。
【００１０】
容器１は、円筒状の容器本体１０と、容器本体１０の上端に着脱可能に取り付けられた蓋体２０と、容器本体１０及び蓋体２０の外周面を覆うカバーフィルム３０とを備えている。
【００１１】
容器本体１０は胴部１１の上部に口筒部１２を備え、口筒部１２の外周面には雄ねじ１３が形成されている。
蓋体２０は円筒状をなし、その下縁から所定寸法上方に位置する部位に、環状の破断部２２が形成されている。破断部２２は、細長いスリット孔を所定間隔おきに連続的に設けて破断線の如く形成したものであり、破断部２２を境にして蓋体２０の上部２３と下部２４を逆方向に捻った時に破断可能に形成されている。上部２３の内周面には雌ねじ２１が形成されていて、容器本体１０の雄ねじ１３に螺合可能になっている。
【００１２】
カバーフィルム３０は樹脂製で円筒状をなし、蓋体２０の下部２４と容器本体１０の両外周面の全域を覆う大きさに形成されている。図３に示すように、容器本体１０及び蓋体２０に装着する前のカバーフィルム３０は一枚の矩形シート状をなし、その内面の全面に接着剤が付着されており、これを蓋体２０の下部２４と容器本体１０の両外周面に巻き付けながら、これら外周面の全面に接着固定したものである。
【００１３】
このように構成された容器１においては、カバーフィルム３０によって蓋体２０の下部２４と容器本体１０とが一体的に連結されているので、蓋体２０の破断部２２を破断するか、あるいは、カバーフィルム３０を剥がして容器本体１０と蓋体２０とを相対回転可能にしない限り、蓋体２０を容器本体１０から取り外すことはできない。したがって、カバーフィルム３０が剥がされておらず、しかも破断部２２が破断されていない場合には、この容器１が未開封であると判断できる。
【００１４】
この容器１では、次のようにして蓋体２０を開放可能にして使用する。即ち、一方の手でカバーフィルム３０の上から蓋体２０の下部２４を持ち、他方の手で蓋体２０の上部２３を持って捻る。すると、蓋体２０の破断部２２が破断し、蓋体２０の上部２３が容器本体１０に対し回転可能になり、蓋体２０を取り外すことができるようになる。尚、蓋体２０の下部２４はカバーフィルム３０に接合されたまま残り、カバーフィルム３０を介して容器本体１０に連結された状態に保持される。
【００１５】
このように蓋体２０の破断部２２が破断されている場合には、この容器１が開封済みであると判断できる。
又、カバーフィルム３０は蓋体２０の下部２４及び容器本体１０の外周面の全面に接着固定されているので、カバーフィルム３０が不用意に容器本体１０及び蓋体２０から脱落することもない。
【００１６】
更に、カバーフィルム３０に商品名や成分表示等を印刷しておけば、１枚のカバーフィルムでラベルとしての機能と包装としての機能を兼用することができ、製造コストを低減することができる。
【００１７】
〔第２の実施の形態〕
図５は本発明の第２の実施の形態におけるカバーフィルム付き容器（以下、容器という）１の要部断面図である。第２の実施の形態における容器が第１の実施の形態のものと相違する点は、蓋体２０の形状にある。
【００１８】
即ち、第２の実施の形態における容器１の蓋体２０は、上部が小径筒部２５に形成され、下部が容器本体１０の胴部１１とほぼ同外径の大径筒部２６に形成されている。小径筒部２５と大径筒部２６とを接続する段差部に破断部２７が形成されている。
【００１９】
破断部２７は、例えば矩形の小孔を所定間隔おきに連続的に環状に配し、小孔間を破断可能な橋絡部に形成して、構成されている。この破断部２７は小径筒部２５と大径筒部２６とを逆方向に捻った時に破断可能になっている。
【００２０】
そして、カバーフィルム３０は、容器本体１０の胴部１１と蓋体２０の大径筒部２６の外周面の全面に接着されている。
その他の構成については第１の実施の形態の容器と同じであるので、図中同一態様部分に同一符号を付してその説明を省略する。
【００２１】
第２の実施の形態の容器１においても、カバーフィルム３０が不用意に容器本体１０及び蓋体２０から脱落することがなく、又、破断部２７が破断されているか否かによって容器１が開封済みか未開封かを判別できる。
【００２２】
又、カバーフィルム３０に商品名や成分表示等を印刷しておけば、１枚のカバーフィルムでラベルとしての機能と包装としての機能を兼用することができる。
【００２３】
【発明の効果】
以上説明したように、本発明によれば、カバーフィルムが容器本体及び蓋体の外面に接着固定されているので、カバーフィルムが不用意に容器本体及び蓋体から外れるということはない。
【００２４】
しかも、カバーフィルムによって容器本体と蓋体とが一体化されているので、蓋体の破断部を破断しない限り蓋体を容器本体から外すことができず、したがって、蓋体の破断部が破断されているか否かによって、カバーフィルム付き容器が開封済みか未開封かを容易に判別することができる。
【００２５】
又、カバーフィルムがラベルとしての機能と包装としての機能を兼用するので、製造コストを低減することができる。
【図面の簡単な説明】
【図１】  本発明の第１の実施の形態におけるカバーフィルム付き容器の要部断面図である。
【図２】  本発明の第１の実施の形態におけるカバーフィルム付き容器の開封前の状態を示す斜視図である。
【図３】  本発明の第１の実施の形態においてカバーフィルム装着前の分解斜視図である。
【図４】  本発明の第１の実施の形態におけるカバーフィルム付き容器の開封後の状態を示す斜視図である。
【図５】  本発明の第２の実施の形態におけるカバーフィルム付き容器の要部断面図である。
【符号の説明】
１  カバーフィルム付き容器
１０  容器本体
１３  雄ねじ
２０  蓋体
２１  雌ねじ
２２  破断部
２７  破断部
３０  カバーフィルム
【図１】
0003636396.tif 000002
【図２】
0003636396.tif 000003
【図３】
0003636396.tif 000004
【図４】
0003636396.tif 000005
【図５】
0003636396.tif 000006